(57)【特許請求の範囲】
【請求項１】
端末と、前記端末のユーザが使用する受信機と、管理装置とを備えるアクセス制御システムであって、
前記端末は、
コンテンツへのアクセスを制御するためのアクセス制御情報を含むメッセージを受信するメッセージ受信部と、
前記受信機を識別する受信機識別情報の取得操作を受け付け、当該受信機識別情報を前記受信機から取得する受信機識別情報取得部と、
取得した前記受信機識別情報と、選択された前記アクセス制御情報とを含み、前記コンテンツへのアクセスの許可を要求する要求情報を、前記コンテンツを管理する管理装置に送信する要求部とを有し、
前記管理装置は、
前記端末から、前記要求情報を受信すると、当該要求情報に含まれる前記受信機識別情報に対応する前記受信機が、前記要求情報に含まれる前記アクセス制御情報に対応する前記コンテンツにアクセスするためのアドレス情報を生成するアクセス制御部を有し、
前記受信機は、
前記管理装置から、自身の前記受信機識別情報に対応する前記アドレス情報を取得し、当該アドレス情報に基づいて、自身の前記受信機識別情報に対してアクセス可能とされた前記コンテンツを取得するコンテンツ取得部を有する、
アクセス制御システム。
【請求項２】
前記受信機は、前記受信機識別情報を送信する近距離無線タグを有し、
前記受信機識別情報取得部は、近距離無線通信により、前記近距離無線タグから前記受信機識別情報を取得する、
請求項１に記載のアクセス制御システム。
【請求項３】
前記管理装置は、
コンテンツを提供する第１ユーザが使用する送信側端末からコンテンツを受信してコンテンツ記憶部に記憶させる記憶制御部と、
前記端末から前記要求情報を受信すると、当該要求情報に含まれる前記受信機識別情報に対応する前記受信機を、前記要求情報に含まれる前記アクセス制御情報に対応して前記コンテンツ記憶部に記憶されている前記コンテンツにアクセス可能とするアクセス制御部とを有する、
請求項１又は２に記載のアクセス制御システム。
【請求項４】
前記管理装置は、前記コンテンツに対応する前記アクセス制御情報を当該送信側端末に送信する制御情報送信部を有し、
前記送信側端末は、前記管理装置から受信した前記アクセス制御情報を含む前記メッセージを前記端末に送信するメッセージ送信部を有する、
請求項３に記載のアクセス制御システム。
【請求項５】
前記管理装置は、前記送信側端末から、前記コンテンツへのアクセスを許可する条件を受け付け、当該条件を示す条件情報を条件情報記憶部に記憶させる条件管理部をさらに有し、
前記アクセス制御部は、前記条件情報に基づいて前記アドレス情報を生成する、
請求項４に記載のアクセス制御システム。
【請求項６】
前記条件管理部は、前記条件を受け付けると、当該条件を識別する条件識別情報と、前記条件情報とを関連付けて前記条件情報記憶部に記憶させ、
前記制御情報送信部は、前記条件識別情報を含む前記アクセス制御情報を前記送信側端末に送信し、
前記アクセス制御部は、前記条件情報記憶部において、前記アクセス制御情報に含まれている前記条件識別情報に関連付けられている前記条件情報に基づいて、前記受信機が前記コンテンツにアクセス可能か否かを判定する、
請求項５に記載のアクセス制御システム。
【請求項７】
前記管理装置は、前記条件識別情報と、前記アドレス情報とを関連付けて記憶するアドレス情報記憶部を有し、
前記条件管理部は、前記送信側端末から前記条件識別情報を含む、前記アドレス情報の削除要求を受け付けると、当該条件識別情報に関連する前記アドレス情報を前記アドレス情報記憶部から消去する、
請求項６に記載のアクセス制御システム。
【請求項８】
受信機においてコンテンツを取得するコンテンツ取得方法であって、
前記受信機のユーザが使用する端末において、コンテンツへのアクセスを制御するためのアクセス制御情報を含むメッセージを受信するステップと、
前記端末において、前記受信機を識別する受信機識別情報の取得操作を受け付け、当該受信機識別情報を前記受信機から取得するステップと、
取得した前記受信機識別情報と、選択された前記アクセス制御情報とを含み、前記コンテンツへのアクセスの許可を要求する要求情報を、前記端末から前記コンテンツを管理する管理装置に送信するステップと、
前記管理装置において、前記端末から、前記要求情報を受信すると、当該要求情報に含まれる前記受信機識別情報に対応する前記受信機が、前記要求情報に含まれる前記アクセス制御情報に対応する前記コンテンツにアクセスするためのアドレス情報を生成するステップと、
前記受信機において、前記管理装置から、自身の前記受信機識別情報に対応する前記アドレス情報を取得し、当該アドレス情報に基づいて、自身の前記受信機識別情報に対してアクセス可能とされた前記コンテンツを取得するステップと、
を備えるコンテンツ取得方法。
【発明の詳細な説明】
【技術分野】
【０００１】
本発明は、アクセス制御システム、端末及びコンテンツ取得方法に関する。
【背景技術】
【０００２】
近年、クラウドコンピューティング等を利用したファイルストレージに対して、ユーザが、自ら撮影した動画や静止画といったコンテンツをアップロードし、遠隔地に居住する他のユーザに対してコンテンツを共有するサービスが普及しつつある。そして、遠隔地に居住する他のユーザが、当該サービスを利用して共有されたコンテンツをネットワークに通信接続されたテレビ受信機に表示させることが行われている。
【０００３】
例えば、特許文献１には、携帯端末がコンテンツのＵＲＬを含むメールを受信すると、赤外線通信又はＢｌｕｅｔｏｏｔｈ（登録商標）等の近距離無線通信技術によって当該ＵＲＬをテレビ受信機に送信し、テレビ受信機が、受信した当該ＵＲＬに基づいてコンテンツにアクセスする方法が開示されている。
【先行技術文献】
【特許文献】
【０００４】
【特許文献１】特開２０１１−１８６８１４号公報
【発明の概要】
【発明が解決しようとする課題】
【０００５】
しかしながら、特許文献１に記載された方法では、ＵＲＬを受信したユーザは、誰でもコンテンツを閲覧することができる。このため、ユーザが、家族等に限定して公開したいコンテンツのＵＲＬを含むメールを、送信すべきユーザとは異なる第三者に誤送信してしまった場合に、当該第三者が当該ＵＲＬを不特定多数のユーザに公開することにより、誰でも当該コンテンツにアクセスすることができるという問題が発生する。
【０００６】
そこで、本発明はこれらの点に鑑みてなされたものであり、第三者に対するコンテンツの流出を抑制することができるアクセス制御システム、端末及びコンテンツ取得方法を提供することを目的とする。
【課題を解決するための手段】
【０００７】
本発明の第１の態様に係るアクセス制御システムは、端末と、受信機とを備えるアクセス制御システムであって、前記端末は、コンテンツへのアクセスを制御するためのアクセス制御情報を含むメッセージを受信するメッセージ受信部と、前記受信機を識別する受信機識別情報の取得操作を受け付け、当該受信機識別情報を前記受信機から取得する受信機識別情報取得部と、取得した前記受信機識別情報と、選択された前記アクセス制御情報とを含み、前記コンテンツへのアクセスの許可を要求する要求情報を、前記コンテンツを管理する管理装置に送信する要求部とを有し、前記受信機は、前記管理装置から、自身の前記受信機識別情報に対してアクセス可能とされた前記コンテンツを取得するコンテンツ取得部を有する。
【０００８】
前記受信機は、前記受信機識別情報を送信する近距離無線タグを有し、前記受信機識別情報取得部は、近距離無線通信により、前記近距離無線タグから前記受信機識別情報を取得してもよい。
【０００９】
前記管理装置は、コンテンツを提供する第１ユーザが使用する送信側端末からコンテンツを受信してコンテンツ記憶部に記憶させる記憶制御部と、前記端末から前記要求情報を受信すると、当該要求情報に含まれる前記受信機識別情報に対応する前記受信機を、前記要求情報に含まれる前記アクセス制御情報に対応して前記コンテンツ記憶部に記憶されている前記コンテンツにアクセス可能とするアクセス制御部とを有してもよい。
【００１０】
前記アクセス制御部は、前記端末から受信した前記要求情報に含まれる前記受信機識別情報に対応する前記受信機が、前記要求情報に含まれる前記アクセス制御情報に対応する前記コンテンツにアクセスするためのアドレス情報を生成し、前記コンテンツ取得部は、前記管理装置から自身の前記受信機識別情報に対応する前記アドレス情報を取得し、当該アドレス情報に基づいて、自身の受信機識別情報に対してアクセス可能とされた前記コンテンツを取得してもよい。
【００１１】
前記管理装置は、前記コンテンツに対応する前記アクセス制御情報を当該送信側端末に送信する制御情報送信部を有し、前記送信側端末は、前記管理装置から受信した前記アクセス制御情報を含む前記メッセージを前記端末に送信するメッセージ送信部を有してもよい。
【００１２】
前記管理装置は、前記送信側端末から、前記コンテンツへのアクセスを許可する条件を受け付け、当該条件を示す条件情報を条件情報記憶部に記憶させる条件管理部をさらに有し、前記アクセス制御部は、前記条件情報に基づいて前記アドレス情報を生成してもよい。
【００１３】
前記条件管理部は、前記条件を受け付けると、当該条件を識別する条件識別情報と、前記条件情報とを関連付けて前記条件情報記憶部に記憶させ、前記制御情報送信部は、前記条件識別情報を含む前記アクセス制御情報を前記送信側端末に送信し、前記アクセス制御部は、前記条件情報記憶部において、前記アクセス制御情報に含まれている前記条件識別情報に関連付けられている前記条件情報に基づいて、前記受信機が前記コンテンツにアクセス可能か否かを判定してもよい。
【００１４】
前記管理装置は、前記条件識別情報と、前記アドレス情報とを関連付けて記憶するアドレス情報記憶部を有し、前記条件管理部は、前記送信側端末から前記条件識別情報を含む、前記アドレス情報の削除要求を受け付けると、当該条件識別情報に関連する前記アドレス情報を前記アドレス情報記憶部から消去してもよい。
【００１５】
本発明の第２の態様に係る端末は、コンテンツへのアクセスを制御するためのアクセス制御情報を含むメッセージを受信するメッセージ受信部と、受信機を識別する受信機識別情報の取得操作を受け付け、当該受信機識別情報を前記受信機から取得する受信機識別情報取得部と、取得した前記受信機識別情報と、選択された前記アクセス制御情報とを含み、前記コンテンツへのアクセスの許可を要求する要求情報を、前記コンテンツを管理する管理装置に送信する要求部と、を備える。
【００１６】
本発明の第３の態様に係るコンテンツ取得方法は、受信機においてコンテンツを取得するコンテンツ取得方法であって、端末において、コンテンツへのアクセスを制御するためのアクセス制御情報を含むメッセージを受信するステップと、前記端末において、前記受信機を識別する受信機識別情報の取得操作を受け付け、当該受信機識別情報を前記受信機から取得するステップと、取得した前記受信機識別情報と、選択された前記アクセス制御情報とを含み、前記コンテンツへのアクセスの許可を要求する要求情報を、前記端末から前記コンテンツを管理する管理装置に送信するステップと、前記受信機において、前記管理装置から、自身の前記受信機識別情報に対してアクセス可能とされた前記コンテンツを取得するステップと、を備える。
【発明の効果】
【００１７】
本発明によれば、第三者に対するコンテンツの流出を抑制することができるという効果を奏する。
【図面の簡単な説明】
【００１８】
【図１】第１の実施形態に係るアクセス制御システムの概要を示す図である。
【図２】第１の実施形態に係る管理装置の構成を示す図である。
【図３】第１の実施形態に係る送信側端末の構成を示す図である。
【図４】第１の実施形態に係る受信側端末の構成を示す図である。
【図５】第１の実施形態に係る受信機の構成を示す図である。
【図６】第１の実施形態における受信側端末がメッセージを受信するまでの処理の流れを示すシーケンス図である。
【図７】コンテンツ記憶部に記憶されているコンテンツ情報の一例を示す図である。
【図８】第１の実施形態における受信側端末がメッセージを受信してから受信機がコンテンツを表示するまでの処理の流れを示すシーケンス図である。
【図９】アドレス情報記憶部に記憶されているリスト情報の一例を示す図である。
【図１０】第２の実施形態に係る管理装置の構成を示す図である。
【図１１】第２の実施形態に係る受信側端末の構成を示す図である。
【図１２】第２の実施形態における受信側端末がメッセージを受信するまでの処理の流れを示すシーケンス図である。
【図１３】条件情報記憶部に記憶されている情報の一例を示す図である。
【図１４】第２の実施形態における受信側端末がメッセージを受信してから受信機がコンテンツを表示するまでの処理の流れを示すシーケンス図である。
【図１５】第２の実施形態に係るアドレス情報記憶部に記憶されているリスト情報の一例を示す図である。
【発明を実施するための形態】
【００１９】
以下、本発明の実施形態について説明する。
＜第１の実施形態＞
［アクセス制御システムＳの概要］
図１は、第１の実施形態に係るアクセス制御システムＳの概要を示す図である。アクセス制御システムＳは、管理装置１と、送信側端末２と、受信側端末３と、受信機４とを備え、送信側端末２を使用する第１ユーザが提供する動画、画像、アプリケーションプログラム、各種ファイル、及びテキストデータ等のコンテンツに、受信機４がアクセスするためのシステムである。なお、コンテンツは、管理装置１が記憶可能なものであれば、上述したものに限らない。
【００２０】
本実施形態において、送信側端末２は、第１ユーザが使用するスマートフォン等の携帯端末であり、第１ユーザ宅に位置している。
受信側端末３は、第２ユーザが使用するスマートフォン等の携帯端末である。また、受信機４は、第２ユーザが使用するセットトップボックス等である。受信側端末３及び受信機４は、第２ユーザ宅に位置している。
【００２１】
アクセス制御システムＳでは、まず送信側端末２が、管理装置１に対してコンテンツをアップロードし、管理装置１に当該コンテンツを記憶させる（図１の（１））。続いて、管理装置１は、記憶されたコンテンツへのアクセスを制御するためのアクセス制御情報を送信側端末２に送信する（図１の（２））。
【００２２】
続いて、送信側端末２は、第１ユーザの操作に応じて、アクセス制御情報を送信する受信側端末３を選択する。送信側端末２は、選択した受信側端末３に対してアクセス制御情報を含むメッセージを送信する（図１の（３））。
【００２３】
続いて、受信側端末３は、当該メッセージを受信し、第２ユーザが当該メッセージに含まれるアクセス制御情報を選択すると、受信機４を識別する受信機識別情報としての受信機ＩＤの取得操作を受け付け、受信機４から受信機ＩＤを取得する（図１の（４））。
【００２４】
続いて、受信側端末３は、取得した受信機ＩＤと、選択されたアクセス制御情報とを含み、コンテンツへのアクセスの許可を要求する要求情報を管理装置１に送信する（図１の（５））。管理装置１は、要求情報を受信すると、当該要求情報に含まれる受信機ＩＤに対応する受信機４を、要求情報に含まれるアクセス制御情報に対応して管理装置１に記憶されているコンテンツにアクセス可能とする。
続いて、受信機４は、自身の受信機ＩＤに対してアクセス可能とされたコンテンツを取得し、表示部に表示させる（図１の（６））。
【００２５】
このようにすることで、アクセス制御システムＳは、送信側端末２の第１ユーザが、家族等である第２ユーザの受信側端末３に限定して、コンテンツに対応するアクセス制御情報を含むメッセージを送信することで、第２ユーザが使用する受信機４に限定してコンテンツを視聴させることができる。また、第１ユーザが、メッセージを第三者に誤送信した場合であっても、当該第三者が使用する受信機のみコンテンツが視聴可能となる。したがって、アクセス制御システムＳは、コンテンツの流出を最小限に抑えることができる。
続いて、管理装置１、送信側端末２、受信側端末３、及び受信機４の構成について説明する。
【００２６】
［管理装置１の構成例］
まず、管理装置１の構成について説明する。図２は、第１の実施形態に係る管理装置１の構成を示す図である。
管理装置１は、記憶部１１と、制御部１２とを備える。
【００２７】
記憶部１１は、例えば、ＲＯＭ及びＲＡＭ等により構成される。記憶部１１は、管理装置１を機能させるための各種プログラムを記憶する。例えば、記憶部１１は、管理装置１の制御部１２を、後述する記憶制御部１２１、制御情報送信部１２２、アクセス制御部１２３及びコンテンツ提供部１２４として機能させるプログラムを記憶する。
【００２８】
また、記憶部１１は、送信側端末２から受け付けたコンテンツを記憶するコンテンツ記憶部１１１と、受信機４がコンテンツを閲覧する場合に参照されるアドレス情報記憶部１１２とを備える。コンテンツ記憶部１１１及びアドレス情報記憶部１１２の詳細については後述する。
【００２９】
制御部１２は、例えば、ＣＰＵにより構成される。制御部１２は、記憶部１１に記憶されている各種プログラムを実行することにより、管理装置１に係る機能を制御する。制御部１２は、記憶制御部１２１と、制御情報送信部１２２と、アクセス制御部１２３と、コンテンツ提供部１２４とを備える。これらの機能の詳細については後述する。
【００３０】
［送信側端末２の構成例］
続いて、送信側端末２の構成について説明する。図３は、第１の実施形態に係る送信側端末２の構成を示す図である。
送信側端末２は、表示部２１と、入力部２２と、無線部２３と、記憶部２４と、制御部２５とを備える。
【００３１】
表示部２１は、例えば、液晶ディスプレイや有機ＥＬ（Electro-Luminescence）ディスプレイ等により構成される。表示部２１は、制御部２５の制御に応じて文字や図形等を表示する。
入力部２２は、例えば、ボタンや、表示部２１に重畳して配置される接触センサ等により構成される。入力部２２は、送信側端末２を使用する第１ユーザから操作入力を受け付ける。
【００３２】
無線部２３は、制御部２５から出力された信号を変調してＲＦ（Radio Frequency）信号を生成し、アンテナ（不図示）を介して当該ＲＦ信号を基地局（不図示）に無線送信する。また、無線部２３は、アンテナを介して受信したＲＦ信号を復調して、復調された信号を制御部２５に出力する。本実施形態では、制御部２５は、無線部２３を介して管理装置１等と通信を行うものとする。
【００３３】
記憶部２４は、例えば、ＲＯＭ及びＲＡＭ等により構成される。記憶部２４は、送信側端末２を機能させるための各種プログラムを記憶する。例えば、記憶部２４は、送信側端末２の制御部２５を、後述するコンテンツ登録部２５１、制御情報受信部２５２、メッセージ送信部２５３として機能させるプログラムを記憶する。
【００３４】
また、記憶部２４は、例えば、送信側端末２が備える撮影部（不図示）によって撮影された動画等のコンテンツを記憶する。コンテンツは、ユーザの選択に応じて管理装置１にアップロードされる。
【００３５】
制御部２５は、例えば、ＣＰＵにより構成される。制御部２５は、記憶部２４に記憶されている各種プログラムを実行することにより、送信側端末２に係る機能を制御する。制御部２５は、コンテンツ登録部２５１と、制御情報受信部２５２と、メッセージ送信部２５３とを備える。これらの機能の詳細については後述する。
【００３６】
［受信側端末３の構成例］
続いて、受信側端末３の構成について説明する。図４は、第１の実施形態に係る受信側端末３の構成を示す図である。
受信側端末３は、表示部３１と、入力部３２と、無線部３３と、近距離無線通信部３４と、記憶部３５と、制御部３６とを備える。
【００３７】
表示部３１は、例えば、液晶ディスプレイや有機ＥＬディスプレイ等により構成される。表示部３１は、制御部３６の制御に応じて文字や図形等を表示する。
入力部３２は、例えば、ボタンや、表示部３１に重畳して配置される接触センサ等により構成される。入力部３２は、受信側端末３及び受信機４を使用する第２ユーザから操作入力を受け付ける。
【００３８】
無線部３３は、制御部３６から出力された信号を変調してＲＦ信号を生成し、アンテナ（不図示）を介して当該ＲＦ信号を基地局（不図示）に無線送信する。また、無線部３３は、アンテナを介して受信したＲＦ信号を復調して、復調された信号を制御部３６に出力する。本実施形態では、制御部３６は、無線部３３を介して管理装置１等と通信を行うものとする。
【００３９】
近距離無線通信部３４は、ＮＦＣ（Near Field Communication）、赤外線通信、Ｂｌｕｅｔｏｏｔｈ、Ｗｉ−Ｆｉ（登録商標）等の近距離無線通信方式により無線通信を行う。本実施形態では、近距離無線通信部３４は、制御部３６の制御により受信機４と近距離無線通信を行うものとする。なお、近距離無線通信部３４は、上述した近距離無線通信方式に限らず、他の近距離無線通信方式によって無線通信を行ってもよい。
【００４０】
記憶部３５は、例えば、ＲＯＭ及びＲＡＭ等により構成される。記憶部３５は、受信側端末３を機能させるための各種プログラムを記憶する。例えば、記憶部３５は、受信側端末３の制御部３６を、後述するメッセージ受信部３６１として機能させるメッセージ用プログラムと、制御部３６を、受信機ＩＤ取得部３６２及び要求部３６３として機能させるアクセス制御用プログラムとを記憶する。
【００４１】
制御部３６は、例えば、ＣＰＵにより構成される。制御部３６は、記憶部３５に記憶されている各種プログラムを実行することにより、受信側端末３に係る機能を制御する。制御部３６は、メッセージ受信部３６１と、受信機ＩＤ取得部３６２と、要求部３６３とを備える。これらの機能の詳細については後述する。
【００４２】
［受信機４の構成例］
続いて、受信機４の構成について説明する。図５は、第１の実施形態に係る受信機４の構成を示す図である。
受信機４は、表示部４１と、入力部４２と、近距離無線タグ４３と、記憶部４４と、制御部４５とを備える。
【００４３】
表示部４１は、例えば、液晶ディスプレイや有機ＥＬディスプレイ等により構成される。表示部４１は、制御部４５の制御に応じて文字や図形等を表示する。なお、受信機４は、表示部４１を備えることとしたが、これに限らない。例えば、受信機４は、表示部４１を備える代わりに、映像等を表示する表示部を備えるテレビ受信機と接続されていてもよい。この場合には、制御部４５の制御に応じてテレビ受信機の表示部に文字や図形等が表示される。
入力部４２は、例えば、リモコンやボタン等により構成される。入力部４２は、第２ユーザから操作入力を受け付ける。
【００４４】
近距離無線タグ４３は、例えば、受信機４を識別する受信機ＩＤを記憶する。近距離無線タグ４３は、例えば、近接した受信側端末３に対して近距離無線通信により受信機ＩＤを送信する。
記憶部４４は、例えば、ＲＯＭ、ＲＡＭ、ハードディスク等により構成される。記憶部４４は、受信機４を機能させるための各種プログラムを記憶する。例えば、記憶部４４は、受信機４の制御部４５を、後述するコンテンツ取得部４５１及び表示制御部４５２として機能させるプログラムを記憶する。
【００４５】
制御部４５は、例えば、ＣＰＵにより構成される。制御部４５は、記憶部４４に記憶されている各種プログラムを実行することにより、受信機４に係る機能を制御する。制御部４５は、コンテンツ取得部４５１と、表示制御部４５２とを備える。これらの機能の詳細については後述する。
【００４６】
［コンテンツのアップロードからメッセージ受信までのシーケンス］
続いて、管理装置１、送信側端末２、受信側端末３、及び受信機４が備える機能の詳細について、シーケンス図を用いながら説明する。
まず、第１の実施形態における受信側端末３がメッセージを受信するまでの処理の流れについて説明する。図６は、送信側端末２が受信側端末３に対してメッセージを送信するまでの処理の流れを示すシーケンス図である。
【００４７】
まず、送信側端末２のコンテンツ登録部２５１は、送信側端末２を使用する第１ユーザからコンテンツの選択を受け付ける（Ｓ１０）。コンテンツ登録部２５１は、コンテンツの選択を受け付ける際に、コンテンツに関する情報として、コンテンツ名、コンテンツの作成日時、コンテンツを説明するためのテキスト情報等を受け付けてもよい。コンテンツ登録部２５１は、第１ユーザのユーザＩＤと、選択されたコンテンツと、コンテンツに関する情報とを関連付けて管理装置１に送信する。
【００４８】
管理装置１の記憶制御部１２１は、送信側端末２からコンテンツを受信すると、当該コンテンツをコンテンツ記憶部１１１に記憶させる（Ｓ２０）。
続いて、制御情報送信部１２２は、受信したコンテンツへのアクセスを制御するためのアクセス制御情報を生成するとともに、当該アクセス制御情報を含むアクセス制御用のアドレス情報として、アクセス制御用ＵＲＬを生成する（Ｓ３０）。また、制御情報送信部１２２は、コンテンツ識別情報としてのコンテンツＩＤを生成する。そして、制御情報送信部１２２は、アクセス制御情報と、受信したユーザＩＤと、当該コンテンツＩＤと、コンテンツ名と、当該コンテンツを示すファイルのファイル名とを関連付けて、コンテンツ情報としてコンテンツ記憶部１１１に記憶させる。なお、コンテンツ情報には、送信側端末２から受信したコンテンツに関する情報が含まれていてもよい。
【００４９】
図７は、コンテンツ記憶部１１１に記憶されているコンテンツ情報の一例を示す図である。図７に示すように、コンテンツ情報は、ユーザＩＤと、コンテンツＩＤと、コンテンツ名と、コンテンツを示すファイルのファイル名と、アクセス制御情報とを含んで構成される。ここで、アクセス制御情報は、コンテンツを一意に特定するための文字列情報を含んでいる。
【００５０】
制御情報送信部１２２は、生成したアクセス制御情報を含むアクセス制御用ＵＲＬを、Ｓ２０において記憶されたコンテンツに対応する送信側端末２に送信する。
続いて、送信側端末２の制御情報受信部２５２は、管理装置１からアクセス制御用ＵＲＬを受信すると、アップロードしたコンテンツを閲覧させたいユーザに対応する端末の選択を第１ユーザから受け付ける。ここでは、制御情報受信部２５２は、第２ユーザが使用する受信側端末３の選択を受け付ける（Ｓ４０）。
【００５１】
続いて、メッセージ送信部２５３は、受信したアクセス制御用ＵＲＬを含むメッセージを生成し、当該メッセージを受信側端末３に送信する。ここで、メッセージは、例えば、電子メールのメッセージであるものとするが、これに限らず、ショートメッセージサービスや、ＬＩＮＥ（登録商標）等のインスタントメッセンジャーサービスに対応するメッセージであってもよい。
受信側端末３のメッセージ受信部３６１は、送信側端末２からアクセス制御用ＵＲＬを含むメッセージを受信する。
【００５２】
なお、上述の説明では、送信側端末２が、受信側端末３に対してアクセス制御用ＵＲＬを含むメッセージを送信したが、これに限らない。例えば、管理装置１がウェブメール等のメッセージ送信機能等を備えておき、送信側端末２から、受信側端末３のアドレスと、受信側端末３に送信するメッセージとを受け付けてもよい。そして、制御情報送信部１２２が、受け付けたメッセージに対してアクセス制御用ＵＲＬを付加し、送信側端末２から受け付けた受信側端末３のアドレスに基づいて、当該メッセージを受信側端末３に送信してもよい。
【００５３】
［メッセージの受信からコンテンツの表示までのシーケンス］
続いて、第１の実施形態における受信側端末３がメッセージを受信してから受信機４がコンテンツを表示するまでの処理の流れについて説明する。図８は、受信側端末３がメッセージを受信してから受信機４がコンテンツを表示するまでの処理の流れを示すシーケンス図である。
【００５４】
受信側端末３のメッセージ受信部３６１は、メッセージを受信すると、当該メッセージを表示部３１に表示させ、入力部３２を介して第２ユーザから、当該メッセージに含まれるアクセス制御用ＵＲＬの選択を受け付ける。
【００５５】
ここで、メッセージ受信部３６１に対応するプログラムと、受信機ＩＤ取得部３６２及び要求部３６３に対応するプログラムは異なるプログラムである。そこで、アクセス制御用ＵＲＬには、受信機ＩＤ取得部３６２及び要求部３６３に対応するアクセス制御用プログラムを実行させるためのＵＲＬスキーマが含まれている。第２ユーザは、単にＵＲＬをクリックやタッチ等をするだけの簡単な操作で、受信側端末３に記憶されているアクセス制御用プログラムを適切に起動することができる。
【００５６】
メッセージ受信部３６１は、アクセス制御用ＵＲＬが選択されたか否かを判定し（Ｓ１１０）、アクセス制御用ＵＲＬが選択されたと判定すると、アクセス制御用プログラムを実行させることにより、制御部３６を、受信機ＩＤ取得部３６２及び要求部３６３として機能させる。これにより、受信機ＩＤ取得部３６２は、受信機ＩＤの取得を開始する（Ｓ１２０）。
【００５７】
続いて、受信機ＩＤ取得部３６２は、受信機ＩＤの取得操作を受け付け、受信機ＩＤを受信機４から取得する。受信機ＩＤ取得部３６２は、例えば、表示部３１に、「ご使用の端末を受信機４に近接させてください」等のメッセージを表示させ、取得操作を受け付ける。第２ユーザが、受信側端末３を受信機４に近接させると、受信機ＩＤ取得部３６２は、近距離無線通信部３４を介して、近距離無線通信により、受信機４に設けられている近距離無線タグ４３から受信機ＩＤを取得する。
【００５８】
続いて、要求部３６３は、取得した受信機ＩＤと、選択されたアクセス制御用ＵＲＬに含まれるアクセス制御情報とを含み、コンテンツへのアクセスの許可を要求する要求情報を管理装置１に送信する。
【００５９】
管理装置１のアクセス制御部１２３は、受信側端末３から要求情報を受信すると、当該要求情報に含まれる受信機ＩＤに対応する受信機４を、当該要求情報に含まれるアクセス制御情報に対応してコンテンツ記憶部１１１に記憶されているコンテンツにアクセス可能とするアクセス制御処理を実行する（Ｓ１３０）。
【００６０】
具体的には、アクセス制御部１２３は、アクセス制御処理において、受信側端末３から受信した要求情報に含まれる受信機ＩＤに対応する受信機４が、要求情報に含まれるアクセス制御情報に対応するコンテンツにアクセスするためのアドレス情報を生成する。そして、アクセス制御部１２３は、受信機ＩＤと、当該コンテンツのコンテンツＩＤと、当該アドレス情報とを関連付けてリスト情報としてアドレス情報記憶部１１２に記憶させる。
【００６１】
図９は、アドレス情報記憶部１１２に記憶されているリスト情報の一例を示す図である。図９に示すように、リスト情報は、受信機ＩＤと、コンテンツＩＤと、アドレス情報とを含んで構成される。リスト情報は、コンテンツ提供部１２４が受信機４にコンテンツを提供する際に参照される。
【００６２】
アクセス制御部１２３は、受信機４に対してコンテンツをアクセス可能としたことに応じて、応答情報を受信側端末３に送信する。
受信側端末３の要求部３６３は、応答情報を受信したことに応じて、受信機４がコンテンツにアクセス可能となったことを示す情報を表示部３１に表示させる。なお、受信側端末３の要求部３６３は、例えば、受信機４に関連付けられている他の端末と通信可能である場合、当該他の端末に対して、受信機４がコンテンツにアクセス可能となったことを示す情報を通知してもよい。このようにすることで、例えば、第２ユーザ宅に居住する第２ユーザの家族も、コンテンツの閲覧が可能になったことを把握することができる。
【００６３】
続いて、受信機４のコンテンツ取得部４５１は、入力部４２を介して第２ユーザからコンテンツの取得操作を受け付けたか否かを判定する（Ｓ１４０）。コンテンツ取得部４５１は、コンテンツの取得操作を受け付けたと判定すると、管理装置１から、自身の受信機ＩＤに対してアクセス可能とされたコンテンツを取得する。具体的には、コンテンツ取得部４５１は、自身の受信機ＩＤに対応するアドレス情報を取得し、当該アドレス情報に基づいて、自身の受信機ＩＤに対してアクセス可能とされたコンテンツを取得する。
【００６４】
より具体的には、コンテンツ取得部４５１は、コンテンツの取得操作を受け付けたと判定すると、受信機４の受信機ＩＤを管理装置１に送信する。
管理装置１のコンテンツ提供部１２４は、受信機ＩＤを受信すると、アドレス情報記憶部１１２において受信機ＩＤに関連付けられているコンテンツＩＤ及びアドレス情報を取得する。そして、コンテンツ提供部１２４は、コンテンツ記憶部１１１において、当該コンテンツＩＤに関連付けられているコンテンツ名を特定する。そして、コンテンツ提供部１２４は、特定したコンテンツ名と、取得したアドレス情報とが関連付けられた画面情報を生成して受信機４に送信する。
【００６５】
受信機４のコンテンツ取得部４５１は、当該画面情報を取得し、当該画面情報に含まれるアドレス情報の選択を受け付ける。コンテンツ取得部４５１は、アドレス情報が選択されると、当該アドレス情報を管理装置１に送信する。
【００６６】
管理装置１のコンテンツ提供部１２４は、受信機４からアドレス情報を受信すると、コンテンツ記憶部１１１及びアドレス情報記憶部１１２を参照し、当該アドレス情報に関連付けられているコンテンツのファイル名を特定する。そして、コンテンツ提供部１２４は、当該ファイル名のファイルを取得し、受信機４に送信する。
受信機４の表示制御部４５２は、受信したファイルに基づいてコンテンツを表示部４１に表示させる（Ｓ１５０）。
【００６７】
［第１の実施形態における効果］
以上のとおり、第１の実施形態に係るアクセス制御システムＳでは、受信側端末３のメッセージ受信部３６１が、コンテンツへのアクセスを制御するためのアクセス制御情報を含むメッセージを受信し、受信機ＩＤ取得部３６２が、受信機ＩＤを受信機４から取得し、要求部３６３が、取得した受信機ＩＤと、選択されたアクセス制御情報とを含み、コンテンツへのアクセスの許可を要求する要求情報を管理装置１に送信する。そして受信機４のコンテンツ取得部４５１が、管理装置１から、自身の受信機ＩＤに対してアクセス可能とされたコンテンツを取得する。
【００６８】
このようにすることで、アクセス制御システムＳは、受信側端末３が取得した受信機ＩＤに対応する受信機４に限定してコンテンツを表示させることができる。したがって、送信側端末２の第１ユーザが、家族等である第２ユーザの受信側端末３に限定して、コンテンツに対応するアクセス制御情報を含むメッセージを送信することで、第２ユーザが使用する受信機４に限定してコンテンツを視聴させることができる。また、第１ユーザが、メッセージを第三者に誤送信した場合であっても、当該第三者が使用する受信機においてのみコンテンツが視聴可能となる。したがって、アクセス制御システムＳは、コンテンツの流出を最小限に抑えることができる。
【００６９】
また、アクセス制御システムＳでは、第２ユーザは、第１ユーザから受信したメッセージに含まれるアクセス制御用ＵＲＬを選択し、受信機４から受信機ＩＤを読み取るという簡単な操作によって第１ユーザがアップロードしたコンテンツを閲覧することができる。このため、ＢｌｕｅｔｏｏｔｈやＷｉ−Ｆｉといったセットアップ時の操作が煩雑な無線通信手段に慣れ親しんでいない高齢者等のユーザでも、コンテンツを閲覧することができる。
【００７０】
また、受信側端末３の受信機ＩＤ取得部３６２は、近距離無線通信により、近距離無線タグに記憶されている受信機ＩＤを取得する。このようにすることで、受信側端末３が受信機ＩＤを取得する場合に、第２ユーザが受信機ＩＤを手入力する必要がないので、受信機ＩＤが間違えて入力され、受信機４においてコンテンツが閲覧できない状態になることを防止することができる。
【００７１】
また、アクセス制御システムＳでは、受信側端末３が受信機４の受信機ＩＤを近距離無線タグ４３から取得し、当該受信機ＩＤを含む要求情報を管理装置１に送信することにより、受信機４においてコンテンツが閲覧可能となる。これにより、受信機４から受信側端末３への通信しかできない場合であっても、受信機４においてコンテンツを閲覧可能にすることができる。また、近距離無線タグは近距離無線通信機器の中でも安価であることから、受信機４の提供者は、近距離無線通信に対応した受信機４の製造コストを安価に抑え、ユーザに受信機４を安価に提供することができる。
【００７２】
なお、管理装置１の記憶制御部１２１は、送信側端末２から受信したコンテンツをそのまま記憶させることとしたが、これに限らない。例えば、記憶制御部１２１は、同一のコンテンツを、異なる品質で複数記憶してもよい。そして、受信機４のコンテンツ取得部４５１は、管理装置１に対して受信機ＩＤを送信するとともに、受信機４の機種を示す機種情報を送信してもよい。そして、管理装置１のコンテンツ提供部１２４は、機種情報に基づいて最適な品質のコンテンツを選択し、当該品質に対応するコンテンツを受信機４に送信してもよい。
【００７３】
また、受信側端末３は、受信機４の受信機ＩＤを、近距離無線タグ４３から取得したが、これに限らない。例えば、受信側端末３と受信機４とが、ＬＡＮ等のネットワークを介して通信可能に接続されている場合、受信側端末３は、当該ネットワークを介して、ＵＰｎＰ（Universal Plug and Play）等のプロトコルにより受信機４から受信機ＩＤを取得してもよい。また、受信側端末３は、受信機４に記憶されているコンテンツ等を受信側端末３において視聴することができるリモート視聴サービスにおいて、受信側端末３に関連付けられている受信機４の受信機ＩＤを、リモート視聴サービスを提供するシステムから取得してもよい。
【００７４】
また、受信側端末３は、上述した受信機ＩＤを取得する手段を全て備えてもよい。この場合、受信側端末３は、まず、リモート視聴サービスを提供するシステムから受信機ＩＤの取得を試行するとともに、ＵＰｎＰ等のプロトコルにより受信機ＩＤの取得を試行する。そして、受信側端末３は、受信機ＩＤの取得に失敗した場合に、表示部３１に、「ご使用の端末を受信機４に近接させてください」等のメッセージを表示させ、受信機ＩＤの取得操作を受け付けてもよい。このようにすることで、第２ユーザによる受信機ＩＤの取得作業を必要最小限に抑えることができる。
【００７５】
＜第２の実施形態＞
［コンテンツへのアクセスを許可する条件を受け付ける］
続いて、第２の実施形態について説明する。第２の実施形態では、送信側端末２が管理装置１にコンテンツをアップロードする際に、コンテンツへのアクセスを許可する条件を受け付け、管理装置１が当該条件に基づいて受信機４にコンテンツを提供する点で第１の実施形態と異なる。以下に、第２の実施形態について図面を参照して説明する。なお、第１の実施形態と同様の構成については同一の符号を付し、詳細な説明を省略する。
【００７６】
図１０は、第２の実施形態に係る管理装置１の構成を示す図である。
第２の実施形態に係る管理装置１は、条件管理部１２５と、条件情報記憶部１１３とをさらに備える。
図１１は、第２の実施形態に係る受信側端末３の構成を示す図である。
第２の実施形態に係る受信側端末３は、端末識別情報取得部としての電話番号取得部３６４をさらに備える。
【００７７】
［コンテンツのアップロードからメッセージ受信までのシーケンス］
図１２は、第２の実施形態における受信側端末３がメッセージを受信するまでの処理の流れを示すシーケンス図である。
図１２におけるＳ２０までの処理の流れは、図６におけるＳ２０までの処理の流れと同様であるので、説明を省略する。続いて、送信側端末２のコンテンツ登録部２５１は、第１ユーザからコンテンツへのアクセスを許可する条件を受け付ける（Ｓ２１）。コンテンツ登録部２５１は、受け付けた条件を管理装置１に送信する。
【００７８】
管理装置１の条件管理部１２５は、アクセスを許可する条件を受け付けると、当該条件を示す条件情報を条件情報記憶部１１３に記憶させる（Ｓ２２）。具体的には、条件管理部１２５は、条件を受け付けると、当該条件を識別する条件ＩＤを生成するとともに、コンテンツのコンテンツＩＤを特定する。そして、条件管理部１２５は、当該コンテンツＩＤと、当該条件を識別する条件ＩＤと、条件情報とを関連付けて条件情報記憶部１１３に記憶させる。ここで、条件管理部１２５は、コンテンツへのアクセスを許可する条件として、コンテンツへのアクセスを許可する第２ユーザの受信側端末３の電話番号、パスワード、コンテンツの閲覧期限、及びコンテンツのコピー権限の少なくともいずれかを受け付ける。
【００７９】
ここで、コンテンツのコピー権限は、管理装置１に記憶された第１ユーザのコンテンツを受信機４や受信側端末３にコピーしたり、他の端末に転送したりすることを可能とする権限である。コピー権限が受信側端末３の第２ユーザに与えられることにより、第２ユーザは、第１ユーザのコンテンツを受信機４や、受信側端末３に記憶させ、管理装置１を介さずに第１ユーザのコンテンツを視聴することができる。これにより、第１ユーザがコンテンツを削除した場合であっても、第２ユーザは当該コンテンツを視聴することができる。なお、管理装置１は、コンテンツのコピーや転送が行われた場合、当該コンテンツを提供する送信側端末２に対して、コンテンツのコピーや転送が行われた旨を通知してもよい。なお、条件管理部１２５は、コピー権限と転送権限との設定を、個別に受け付けてもよい。
【００８０】
なお、条件管理部１２５は、コンテンツへのアクセスを許可する条件として、複数の電話番号を受け付けてもよい。また、条件管理部１２５は、コンテンツを閲覧可能な回数を条件として受け付けてもよい。
【００８１】
図１３は、条件情報記憶部１１３に記憶されている情報の一例を示す図である。図１３に示すように、条件情報記憶部１１３には、コンテンツＩＤと、条件ＩＤと、条件情報とが関連付けられて記憶されている。図１３に示す例では、条件情報として、電話番号、パスワード、コンテンツの閲覧期限及びコンテンツのコピー権限が含まれている。例えば、コンテンツＩＤ「０００１」、条件ＩＤ「００１」に対応するコンテンツの閲覧条件は、受信側端末３の電話番号が「０９０・・・」、パスワードが「−」、閲覧期限が「２０１５／１／１１」、コピー権限が「有」であることを示している。ここで、条件情報において「−」と表示されている場合、「−」に対応する項目に対応する条件が設定されていないことを示している。
【００８２】
続いて、制御情報送信部１２２は、条件情報記憶部１１３に記憶されている条件ＩＤを含むアクセス制御情報を生成し（Ｓ３０）、当該アクセス制御情報を含むアクセス制御用ＵＲＬを送信側端末２に送信する。制御情報送信部１２２は、条件情報としてパスワードが設定されている場合には、パスワードを送信側端末２に送信してもよい。
【００８３】
続いて、送信側端末２の制御情報受信部２５２は、管理装置１からアクセス制御用ＵＲＬを受信すると、受信側端末３の選択を受け付け（Ｓ４０）、アクセス制御用ＵＲＬを含むメッセージを受信側端末３に送信する。制御情報受信部２５２は、条件情報としてパスワードが設定されている場合には、パスワードを含むメッセージを受信側端末３に送信してもよい。
【００８４】
［メッセージの受信からコンテンツの表示までのシーケンス］
図１４は、第２の実施形態における受信側端末３がメッセージを受信してから受信機４がコンテンツを表示するまでの処理の流れを示すシーケンス図である。
【００８５】
図１４に示すシーケンスにおいて、受信機ＩＤ取得部３６２が受信機ＩＤを取得した後、受信側端末３の電話番号取得部３６４は、自身の電話番号を取得する（Ｓ１２１）。
続いて、要求部３６３は、取得した受信機ＩＤ及び電話番号と、選択されたアクセス制御用ＵＲＬに含まれるアクセス制御情報とを含み、コンテンツへのアクセスの許可を要求する要求情報を管理装置１に送信する。要求部３６３は、条件情報としてパスワードが設定されている場合には、第２ユーザからパスワードを受け付け、当該パスワードを含む要求情報を管理装置１に送信してもよい。
【００８６】
管理装置１のアクセス制御部１２３は、受信側端末３から要求情報を受信すると、アクセス制御処理を実行する（Ｓ１３０）。具体的には、アクセス制御部１２３は、アクセス制御処理において、第１の実施形態において説明した処理に加えて、条件情報記憶部１１３において、アクセス制御情報に含まれている条件識別情報に関連付けられている条件情報に基づいて、受信機４がコンテンツにアクセス可能か否かを判定する。
【００８７】
例えば、アクセス制御部１２３は、要求情報に含まれる電話番号が、条件情報記憶部１１３に記憶されている条件情報において設定されている電話番号に含まれている場合には、電話番号に関する条件を満たすと判定する。このようにすることで、送信側端末２において、第三者の端末にメッセージを誤送信した場合であっても、当該第三者の端末の電話番号が条件情報において設定されている電話番号と異なることから第三者の受信機においてコンテンツへのアクセスが許可されない。
【００８８】
また、アクセス制御部１２３は、現在時刻が、条件情報記憶部１１３に記憶されている条件情報において設定されている閲覧期限を超えていない場合に、閲覧期限に関する条件を満たすと判定する。また、アクセス制御部１２３は、要求情報に含まれているパスワードと、条件情報記憶部１１３に記憶されている条件情報において設定されているパスワードとが一致する場合に、パスワードに関する条件を満たすと判定する。
【００８９】
アクセス制御部１２３は、条件情報が示す条件を満たし、受信機４がコンテンツにアクセス可能と判定すると、アドレス情報を生成し、受信機ＩＤと、当該コンテンツのコンテンツＩＤと、当該アドレス情報とを関連付けてリスト情報としてアドレス情報記憶部１１２に記憶させる。
【００９０】
ここで、アクセス制御部１２３は、条件情報に基づいてアドレス情報を生成する。具体的には、アクセス制御部１２３は、複数の条件ＩＤのそれぞれに対して、異なるアドレス情報を生成する。図１５は、第２の実施形態に係るアドレス情報記憶部１１２に記憶されているリスト情報の一例を示す図である。図１５に示すように、リスト情報は、受信機ＩＤと、コンテンツＩＤと、条件ＩＤと、アドレス情報とを含んで構成される。図１５に示すように、コンテンツＩＤが同じであっても、条件ＩＤのそれぞれに対して異なるアドレス情報が設定されていることが確認できる。なお、リスト情報には、図１５に示す情報の他に、受信側端末３の電話番号が関連付けられて記憶されていてもよい。このようにすることで、リスト情報に関連付けられている電話番号に基づいて、コンテンツを閲覧可能な受信機４のユーザが誰であるかを確認することができる。
【００９１】
アクセス制御部１２３は、アドレス情報を生成した後、受信機４がコンテンツにアクセス可能となったことを示す応答情報を受信側端末３に送信する。なお、アクセス制御部１２３は、アドレス情報に対応するコンテンツをアップロードした送信側端末２に対して、当該応答情報を送信してもよい。ここで、送信側端末２に対して送信される応答情報には、要求情報に含まれる電話番号が含まれるようにしてもよい。このようにすることで、送信側端末２の第１ユーザは、コンテンツにアクセス可能となった受信機４を使用する第２ユーザがコンテンツを閲覧しようとしていることや、当該第２ユーザが正当なユーザであるかを確認することができる。また、送信側端末２が応答情報を受信しない場合には、第１ユーザは、第２ユーザに対して連絡を取ってコンテンツの閲覧を促すことができる。
【００９２】
続いて、受信機４のコンテンツ取得部４５１は、コンテンツの取得操作を受け付けたと判定すると（Ｓ１４０）、管理装置１から、自身の受信機ＩＤに対してアクセス可能とされたコンテンツを取得する。その後、受信機４の表示制御部４５２は、取得したコンテンツを表示部４１に表示させる（Ｓ１５０）。
【００９３】
なお、コンテンツ提供部１２４は、受信側端末３から、コンテンツにアクセスするためパスワードの設定を受け付けてもよい。この場合、コンテンツ提供部１２４は、コンテンツと当該パスワードとを関連付けて記憶しておき、当該コンテンツの取得要求が受信機４から行われたことに応じて、受信機４からパスワードを受け付けてもよい。コンテンツ提供部１２４は、受信機４から受け付けたパスワードと、受信側端末３において設定されたパスワードとが一致した場合に、当該コンテンツを受信機４に送信してもよい。
【００９４】
［第２の実施形態における効果］
以上のとおり、第２の実施形態に係るアクセス制御システムＳでは、管理装置１の条件管理部１２５が、送信側端末２からコンテンツへのアクセスを許可する条件を受け付け、当該条件を示す条件情報を条件情報記憶部１１３に記憶させ、アクセス制御部１２３が、条件情報に基づいてアドレス情報を生成する。このようにすることで、送信側端末２のユーザが指定した条件に基づいて、コンテンツをアクセス可能とする受信機４を限定したり、コンテンツにアクセス可能な期限を設定したりすることができるので、第１の実施形態のアクセス制御システムＳに比べて、第三者に対するコンテンツの流出をさらに抑制することができる。
【００９５】
＜第３の実施形態＞
［送信側端末２からアドレス情報記憶部１１２に記憶されている情報の消去を受け付ける］
続いて、第３の実施形態について説明する。第３の実施形態では、送信側端末２のユーザが、アドレス情報記憶部１１２に記憶されている情報を編集可能な点で第２の実施形態と異なる。
【００９６】
具体的には、第３の実施形態の条件管理部１２５は、送信側端末２から、第１ユーザがアップロードしたコンテンツに対するアクセス可能状況を示すリスト情報の取得要求を受け付ける。この取得要求にはユーザＩＤが含まれており、条件管理部１２５は、コンテンツ記憶部１１１を参照し、当該ユーザＩＤに対応するコンテンツＩＤ及びコンテンツ名を特定する。続いて、条件管理部１２５は、アドレス情報記憶部１１２を参照し、特定したコンテンツＩＤに関連付けられている受信機ＩＤ、条件ＩＤ及びアドレス情報を特定する。また、条件管理部１２５は、条件情報記憶部１１３を参照し、コンテンツＩＤに関連付けられている条件情報を特定する。
【００９７】
続いて、条件管理部１２５は、特定したコンテンツＩＤ、コンテンツ名、受信機ＩＤ、条件ＩＤ、条件情報、及びアドレス情報を含むリスト情報を生成し、当該リスト情報を送信側端末２に送信して、リスト情報の編集を受け付ける。
【００９８】
例えば、条件管理部１２５は、リスト情報において第１ユーザが消去したいアドレス情報の選択を受け付けることにより、アドレス情報の削除要求を受け付ける。条件管理部１２５は、選択されたアドレス情報をアドレス情報記憶部１１２から消去する。
【００９９】
また、条件管理部１２５は、リスト情報において第１ユーザが消去したい条件情報の選択を受け付けることにより、条件情報の削除要求を受け付ける。この削除要求には、例えば条件ＩＤが含まれており、条件管理部１２５は、当該条件ＩＤに関連付けられている条件情報を条件情報記憶部１１３から消去するとともに、当該条件ＩＤに関連付けられているアドレス情報をアドレス情報記憶部１１２から消去する。
【０１００】
［第３の実施形態における効果］
以上のとおり、第３の実施形態に係るアクセス制御システムＳでは、条件管理部１２５は、アドレス情報の削除要求を受け付けると、当該アドレス情報をアドレス情報記憶部１１２から消去する。このようにすることで、送信側端末２の第１ユーザは、第三者の受信機４においてコンテンツにアクセス可能になったとしても、アドレス情報を消去することにより、第三者の受信機４からコンテンツにアクセスできないように変更することができる。
【０１０１】
また、第３の実施形態に係るアクセス制御システムＳでは、条件管理部１２５は、リスト情報において条件情報の削除要求を受け付けると、当該条件に関連付けられているアドレス情報をアドレス情報記憶部１１２から消去する。このようにすることで、送信側端末２の第１ユーザは、リスト情報を参照しながら、第１ユーザが知らないユーザ、すなわち、第１ユーザが誤送信した相手の受信機４に対してコンテンツが公開されていることを把握し、当該受信機４に対応するアドレス情報を消去することができる。
【０１０２】
＜第４の実施形態＞
［管理装置１において受信側端末３の電話番号と受信機４の受信機ＩＤとを関連付けて紐付情報として記憶しておき、当該紐付情報に基づいてアドレス情報を生成する］
続いて、第４の実施形態について説明する。第２の実施形態では、管理装置１が受信側端末３から受信する要求情報に、第２ユーザが使用する受信側端末３の電話番号と、受信機４の受信機ＩＤとが含まれている。これに対して、第４の実施形態では、管理装置１のアクセス制御部１２３が、要求情報に含まれる電話番号と受信機ＩＤとを関連付けて紐付情報として記憶部１１に記憶しておき、当該紐付情報に基づいてアドレス情報を生成する点で第２の実施形態と異なる。
【０１０３】
具体的には、管理装置１の記憶制御部１２１が、送信側端末２からコンテンツを受信し、その後、条件管理部１２５がアクセスを許可する条件として受信側端末３の電話番号を受け付けると、アクセス制御部１２３は、記憶部１１に記憶されている紐付情報を参照し、当該電話番号に関連付けられている受信機ＩＤがあるか否かを判定する。そして、アクセス制御部１２３は、紐付け情報において、当該電話番号に関連付けられている受信機ＩＤがある場合には、当該コンテンツにアクセスするためのアドレス情報を生成する。ここで、アクセス制御部１２３は、電話番号に関連付けられている受信機ＩＤがある場合には、制御情報送信部１２２がアクセス制御情報を生成しないように制御情報送信部１２２を制御する。
【０１０４】
その後、アクセス制御部１２３は、当該受信機ＩＤと、当該コンテンツのコンテンツＩＤと、当該アドレス情報とを関連付けてリスト情報としてアドレス情報記憶部１１２に記憶させる。なお、アクセス制御部１２３は、アドレス情報を生成したことに応じて、例えば、ショートメッセージサービス等によって、受信機４がコンテンツにアクセス可能になったことを示す情報を受信側端末３に送信してもよい。
【０１０５】
［第４の実施形態における効果］
以上のとおり、第４の実施形態に係るアクセス制御システムＳでは、管理装置１のアクセス制御部１２３が、受信側端末３から受信する要求情報に含まれている電話番号と受信機ＩＤとを関連付けて紐付情報として記憶部１１に記憶しておき、送信側端末２においてコンテンツへのアクセスを許可する条件として指定した受信側端末３の電話番号に関連する受信機ＩＤが紐付情報に記憶されている場合には、当該紐付情報に基づいてアドレス情報を生成する。このようにすることで、送信側端末２において受信側端末３にメッセージを送信したり、受信側端末３において受信機ＩＤを取得したりすることなく、受信機４をコンテンツにアクセス可能とすることができるので、送信側端末２の第１ユーザ及び受信側端末３の第２ユーザの作業負担を軽減することができる。
【０１０６】
なお、第４の実施形態では、管理装置１は、要求情報に含まれている電話番号と受信機ＩＤとを関連付けて紐付情報として記憶部１１に記憶したが、これに限らない。例えば、管理装置１は、受信側端末３から、電話番号と受信機ＩＤとの登録を予め受け付けておき、当該電話番号と当該受信機ＩＤとを関連付けて紐付情報として記憶部１１に記憶していてもよい。
【０１０７】
この場合、受信側端末３は、送信側端末２から受信したアクセス制御用ＵＲＬを含むメッセージにおいて、当該アクセス制御用ＵＲＬが選択された場合に、受信機ＩＤを取得せずに、自身の電話番号のみ取得する。そして、受信側端末３は、アクセス制御情報と自身の電話番号とを含む要求情報を管理装置１に送信する。
【０１０８】
管理装置１のアクセス制御部１２３は、アクセス制御情報と電話番号とを含む要求情報を受信すると、紐付情報を参照し、当該電話番号に関連付けられている受信機ＩＤを特定し、当該アクセス制御情報及び当該受信機ＩＤに基づいてアドレス情報を生成する。このようにすることで、受信側端末３において、受信機ＩＤを取得する作業を省略することができる。
【０１０９】
以上、本発明を実施の形態を用いて説明したが、本発明の技術的範囲は上記実施の形態に記載の範囲には限定されない。例えば、上述の実施形態において、受信側端末３は、制御部３６をメッセージ受信部３６１として機能させるメッセージ用プログラムと、制御部３６を受信機ＩＤ取得部３６２及び要求部３６３として機能させるアクセス制御用プログラムとを記憶したが、これに限らず、制御部３６をメッセージ受信部３６１、受信機ＩＤ取得部３６２及び要求部３６３として機能させる一のプログラムを記憶してもよい。
【０１１０】
また、上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【０１１１】
１・・・管理装置、１１・・・記憶部、１１１・・・コンテンツ記憶部、１１２・・・アドレス情報記憶部、１１３・・・条件情報記憶部、１２・・・制御部、１２１・・・記憶制御部、１２２・・・制御情報送信部、１２３・・・アクセス制御部、１２４・・・コンテンツ提供部、１２５・・・条件管理部、２・・・送信側端末、２１・・・表示部、２２・・・入力部、２３・・・無線部、２４・・・記憶部、２５・・・制御部、２５１・・・コンテンツ登録部、２５２・・・制御情報送信部、２５３・・・メッセージ送信部、３・・・受信側端末、３１・・・表示部、３２・・・入力部、３３・・・無線部、３４・・・近距離無線通信部、３５・・記憶部、３６・・・制御部、３６１・・・メッセージ送信部、３６２・・・受信機ＩＤ取得部、３６３・・・要求部、３６４・・・電話番号取得部、４・・・受信機、４１・・・表示部、４２・・・入力部、４３・・・近距離無線タグ、４４・・・記憶部、４５・・・制御部、４５１・・・コンテンツ取得部、４５２・・・表示制御部、Ｓ・・・アクセス制御システム
【図１】
0006422793.tif 000002
【図２】
0006422793.tif 000003
【図３】
0006422793.tif 000004
【図４】
0006422793.tif 000005
【図５】
0006422793.tif 000006
【図６】
0006422793.tif 000007
【図７】
0006422793.tif 000008
【図８】
0006422793.tif 000009
【図９】
0006422793.tif 000010
【図１０】
0006422793.tif 000011
【図１１】
0006422793.tif 000012
【図１２】
0006422793.tif 000013
【図１３】
0006422793.tif 000014
【図１４】
0006422793.tif 000015
【図１５】
0006422793.tif 000016